(57)【要約】【課題】異なるデザインを必要なときに必要量だけ簡易に印刷することができるブックカバーの製造方法を提供すること。【解決手段】カバー本体１１にポケット１２を形成し、ポケット１２のうち背表紙側の端縁部とカバー本体１１とを仮止めし、その後、ポケット１２が形成されたカバー本体１１を一葉ずつ送りローラで送りながら印刷する。ブックカバー１のシート１０のうち２枚に相当する部分が１枚の部分と一体となって送りローラを通過することになる。そのため、送りローラとブックカバー１との摩擦抵抗が少なくなり、給紙エラーが生じにくいものとなる。【選択図】図２
2018111225.tif 000002
【特許請求の範囲】
【請求項１】
シートから形成され本類の表表紙、背表紙及び裏表紙を覆うカバー本体のうち少なくとも一方の端部に前記カバー本体とともに前記表表紙と前記裏表紙との少なくとも一方を保持するポケットが設けられたブックカバーを製造する方法であって、
前記カバー本体にポケットを形成するポケット形成工程と、
前記ポケット形成工程の後あるいは前記ポケット形成工程と同時に実施され前記ポケットのうち前記背表紙側の端縁部と前記カバー本体とを仮止めする仮止工程と、
前記仮止工程の後に実施され前記ポケットが形成されたカバー本体を一葉ずつ送りローラで送りながら印刷する印刷工程と、
を備えた
ことを特徴とするブックカバーの製造方法。
【請求項２】
請求項１に記載されたブックカバーの製造方法において、
前記ポケットは、前記カバー本体のうち一方の端部に設けられたポケット本体と、前記カバー本体のうち他方の端部側に設けられ前記カバー本体に両端部が接合された帯状部材とを備え、
前記ポケット形成工程は、ポケット本体形成工程と帯状部材形成工程とを備え、
前記ポケット本体形成工程は、前記シートの端部をシート中央側に向け折曲線に沿って折り曲げる工程と、前記シートの折り曲げられた部分のうち前記折曲線と交差する方向に沿った端縁をシールする工程と、を有し、
前記帯状部材形成工程は、前記帯状部材を前記シートのうち前記折曲線と平行に配置する工程と、前記帯状部材の両端部をそれぞれ前記シートにシールする工程とを有し、
前記仮止工程は、前記シートの折り曲げられた部分の端縁と前記シートとを仮止めするポケット本体仮止工程と、前記帯状部材のうち長手方向に沿った端縁と前記シートとを仮止めする帯状部材仮止工程とを有する
ことを特徴するブックカバーの製造方法。
【請求項３】
請求項２に記載されたブックカバーの製造方法において、
前記仮止工程は、前記シートの折り曲げられた部分のうち前記シート中央側の端縁と前記シートとを剥離可能な粘着テープで貼付し、前記帯状部材と前記シートとを剥離可能な粘着テープで貼付する
ことを特徴とするブックカバーの製造方法。
【請求項４】
請求項３に記載されたブックカバーの製造方法において、
前記印刷工程は、前記シートのうち前記ポケット本体が形成された端縁とは反対側の端縁が先頭となるように前記送りローラに送る
ことを特徴とするブックカバーの製造方法。
【請求項５】
請求項１から請求項４のいずれか１項に記載されたブックカバーの製造方法において、
前記シートは不織布から形成される
ことを特徴とするブックカバーの製造方法。
【発明の詳細な説明】
【技術分野】
【０００１】
本発明は、ブックカバーの製造方法に関する。
【背景技術】
【０００２】
書籍、雑誌、ノート、手帳、その他、本類の表表紙、背表紙及び裏表紙を覆うブックカバーが用いられている。
ブックカバーには、固定カバー部と、背表紙カバー部と、調整カバー部とを連続的に一体に備えて表紙カバー部を形成し、固定カバー部の内側にこれに重なるように折り込まれるポケットフラップを設け、固定カバー部とポケットフラップとの間に固定差し込みポケットを形成し、調整カバー部の内側にこれに重なるように折り込まれる調整フラップを形成し、調整カバー部の内側に調整フラップの自由端を差し込んで保持するフラップ押さえバンドを設けた従来例がある（特許文献１）。
【０００３】
特許文献１の従来例では、固定カバー部及びフラップ押さえバンドの固定は、表紙カバー部の上下に張り出して設けられた糊しろフラップ、バンド糊しろフラップを用いて行われる。固定カバー部とポケットフラップとの固定は、固定カバー部側に折り込まれた固定糊しろフラップに塗布される接着剤によって行われ、同様に調整カバー部とフラップ押さえバンドとの固定は、調整カバー部側に折り込まれたバンド糊しろフラップに塗布される接着剤によって行われる。
【０００４】
従来、ブックカバーでは、書店名、その他の文字や図形等のデザインが印刷されることが多い。
ブックカバーの印刷は、一般的に、ブックカバーが製造される前のシートの状態で、グラビア印刷、オフセット印刷、フレキソ印刷等で行われることが多い。
昨今、ＳＯＨＯ（Small Office Home Office）等で、少量で特別な製品を製作することが考えられている。そのため、顧客の要望に応じて、デザイン等が異なるブックカバーを少量だけ求められることがあり、この場合、グラビア印刷等では顧客の要望に応えられない。
そのため、少量印刷のために、インクジェットプリンタやレーザプリンタを用いることが考えられる。
【先行技術文献】
【特許文献】
【０００５】
【特許文献１】特開２０１６−８７８８９号公報
【発明の概要】
【発明が解決しようとする課題】
【０００６】
特許文献１の従来例では、まず、インクジェットプリンタやレーザプリンタでシートを印刷し、その後、シートの端部にポケットフラップを重ねて接着剤等で固定するが、接着のための特別な装置を持っていない業者はブックカバーを製造することができない。例えば、ブックカバーは書店等の販売店で顧客に提供されることがあるが、販売店は、インクジェットプリンタやレーザプリンタを所持することがあっても、ポケットフラップを固定カバー部に接着する特別な装置を所持することが少ない。
そのため、販売店等では、印刷されていないブックカバーを業者から提供してもらい、この印刷されていないブックカバーにインクジェットプリンタ等を用いてデザインを印刷することが考えられる。ブックカバーの印刷のために、インクジェットプリンタを用いると、ブックカバーを一葉ずつ送りローラで送りながらインクを吐出部から塗布することになる。
【０００７】
特許文献１の従来例では、カバー本体の端部にポケットを重ねて接着する構成であるので、カバー本体の背表紙側ではシート１枚分の厚さであるのに対して、カバー本体の端部ではカバー本体とポケットとが重なっているので、シート２枚分の厚さとなる。特に、ポケットのカバー本体の背表紙側端縁は表紙を差し込むための開口となるので、当該開口付近ではシート２枚の部分と１枚の部分とが区別されることになる。そのため、ポケットが端部に形成されたブックカバーをインクジェットプリンタで印刷する際に、シートが１枚の部分と２枚の部分とが送りローラを通過するため、送りロールとブックカバーとの摩擦抵抗が部位によって異なり、給紙エラーが生じることになる。給紙エラーが生じると、印刷が停止されることになるので、ブックカバーへの印刷ができなくなる。
【０００８】
本発明の目的は、異なるデザインを必要なときに必要量だけ簡易に印刷することができるブックカバーの製造方法を提供することにある。
【課題を解決するための手段】
【０００９】
本発明のブックカバーの製造方法は、シートから形成され本類の表表紙、背表紙及び裏表紙を覆うカバー本体のうち少なくとも一方の端部に前記カバー本体とともに前記表表紙と前記裏表紙との少なくとも一方を保持するポケットが設けられたブックカバーを製造する方法であって、前記カバー本体にポケットを形成するポケット形成工程と、前記ポケット形成工程の後あるいは前記ポケット形成工程と同時に実施され前記ポケットのうち前記背表紙側の端縁部と前記カバー本体とを仮止めする仮止工程と、前記仮止工程の後に実施され前記ポケットが形成されたカバー本体を一葉ずつ送りローラで送りながら印刷する印刷工程と、を備えたことを特徴とする。
【００１０】
この構成の本発明では、ポケット形成工程でカバー本体にポケットを形成した後、あるいは、ポケットを形成すると同時に、仮止工程で、ポケットのうち背表紙側の端縁部とカバー本体とが仮止めされる。
仮止工程の後に実施される印刷工程では、ポケットが形成されたカバー本体は、一葉ずつ送りローラで送られながら印刷されるが、仮止工程において、ポケットの開口を構成するポケットのうち背表紙側の端縁部とカバー本体とが仮止めされているので、当該部分はカバー本体とポケットとの２枚部分が一体となって送りローラを通過することになる。そのため、送りローラとブックカバーとの摩擦抵抗が少なくなり、給紙エラーが生じ難く、ブックカバーへの印刷が可能となる。
従って、印刷前のブックカバーをまとめて製造しておき、ブックカバーの印刷を書店等の顧客にあるインクジェットプリンタ等を用いて実施することで、異なるデザインを必要なときに必要な量だけ印刷することができる。
ブックカバーとして使用する際には、ポケットの端縁部とカバー本体との仮止めを解除する。これにより、ポケットに開口が形成され、本類の表表紙あるいは裏表紙をポケットに差し込むことが可能となる。
なお、本発明のブックカバーは、書籍、雑誌、ノート、手帳等、表表紙、裏表紙及び背表紙を有する本類に適用できる。
【００１１】
本発明では、前記ポケットは、前記カバー本体のうち一方の端部に設けられたポケット本体と、前記カバー本体のうち他方の端部側に設けられ前記カバー本体に両端部が接合された帯状部材とを備え、前記ポケット形成工程は、ポケット本体形成工程と帯状部材形成工程とを備え、前記ポケット本体形成工程は、前記シートの端部をシート中央側に向け折曲線に沿って折り曲げる工程と、前記シートの折り曲げられた部分のうち前記折曲線と交差する方向に沿った端縁をシールする工程と、を有し、前記帯状部材形成工程は、前記帯状部材を前記シートのうち前記折曲線と平行に配置する工程と、前記帯状部材の両端部をそれぞれ前記シートにシールする工程とを有し、前記仮止工程は、前記シートの折り曲げられた部分の端縁と前記シートとを仮止めするポケット本体仮止工程と、前記帯状部材のうち長手方向に沿った端縁と前記シートとを仮止めする帯状部材仮止工程とを有する構成としてもよい。
この構成では、ポケット本体をポケット本体形成工程で形成し、帯状部材を帯状部材形成工程で形成する。ポケット本体形成工程では、シートの端部をシート中央側に向け折曲線に沿って折り曲げ、シートの折り曲げられた部分のうち折曲線と交差する方向に沿った端縁をシールしてポケット本体を形成する。折り曲げられたシートのうち中央部側の端縁か本類の表表紙あるいは裏表紙を差し込む開口となる。帯状部材形成工程では、別に用意した帯状部材をシートのうち折曲線と平行に配置し、シートに、帯状部材の両端部をそれぞれ折曲線と交差する方向に沿ってシールする。ここで、ポケット本体は１枚のシートが重なっており、帯状部材とシートとは重なっているが、他の部分は１枚のシートからなる。この状態で、インクジェットプリンタ等で印刷すると、シートが１枚の部分と２枚の部分とが混在することで、給紙エラーが生じるが、本発明では、仮止工程で、シートの折り曲げられた部分の端縁とシートとが仮止めされ、帯状部材のうち長手方向に沿った端縁とシートとが仮止めされることになり、シートが１枚の部分と２枚の部分とが一体とされる。そのため、仮止め状態で印刷工程を実施すると、シートが２枚の部分が一体となって送りローラを通過することになるから、送りローラとブックカバーとの摩擦抵抗が少なくなり、給紙エラーが生じにくいものとなる。
従って、ポケット本体と帯状部材とを有するブックカバーに異なるデザインを必要なときに必要量だけ簡易に印刷することができる。
【００１２】
本発明では、前記仮止工程は、前記シートの折り曲げられた部分のうち前記シート中央側の端縁と前記シートとを剥離可能な粘着テープ、例えば、セロファンテープで貼付し、前記帯状部材と前記シートとを剥離可能な粘着テープで貼付する構成としてもよい。
この構成では、シートの折り曲げられた部分の端縁をシートに仮止めするために、粘着テープを用いるので、仮止めの作業が容易にできる。その上、印刷後のブックカバーを実際に使用する際には、粘着テープをブックカバーから剥がすだけでよいので、ブックカバーを簡単に使用することができる。
【００１３】
本発明では、前記印刷工程は、前記シートのうち前記ポケット本体が形成された端縁とは反対側の端縁が先頭となるように前記送りローラに送る構成としてもよい。
この構成では、シートのうちポケット本体が形成された端縁とは反対側の端縁はシートが１枚の部分であり、この箇所を先頭となるように印刷すると、まず、送りローラにシートが１枚の部分が通過し、その後、ポケットが形成される２枚の部分が通過するので、はじめにシートが２枚の部分が送りローラで送られる場合に比べて、円滑にシートを送ることができる。そのため、給紙エラーが起こり難いものとなる。
【００１４】
本発明では、前記シートは不織布から形成される構成としてもよい。
この構成では、不織布のシートから製造されたブックカバーは、製造コストを低く抑えられるだけでなく、強度や耐久性がある。しかも、不織布から製造されたブックカバーは、薄くすることが可能であるため、インクジェットプリンタやレーザプリンタを用いた印刷に好適である。
【図面の簡単な説明】
【００１５】
【図１】本発明の一実施形態にかかる製造方法で製造されたブックカバーを示すもので、（Ａ）は正面図、（Ｂ）は裏面図、（Ｃ）は（Ｂ）のＣ−Ｃ線断面図。
【図２】前記実施形態の製造方法を実施するための装置を示す概略図。
【図３】ブックカバーを印刷するインクジェットンプリンターを示す斜視図。
【図４】（Ａ）から（Ｄ）はブックカバーの製造手順を示す概略図。
【発明を実施するための形態】
【００１６】
本発明の一実施形態を図面に基づいて説明する。
［ブックカバー］
図１には本実施形態の製造方法で製造されたブックカバー１が示されている。
図１（Ａ）から（Ｃ）において、ブックカバー１は、図示しない本類の表表紙、背表紙及び裏表紙を覆う平面矩形状のカバー本体１１と、カバー本体１１とともに表表紙及び裏表紙を保持するポケット１２とを備えている。
ポケット１２は、カバー本体１１を所定寸法にかけて覆うポケット本体１３と、カバー本体１１の背表紙に相当する中央部と他端側との間に設けられた帯状部材１４と、カバー本体１１の他端側に設けられた折返部１５とを備えている。
【００１７】
ブックカバー１のうちカバー本体１１、ポケット本体１３及び折返部１５は１枚の略平面矩形状のシート１０から形成され、このシート１０と帯状部材１４とはそれぞれ不織布から形成されている。
ここで、不織布は、インクジェットプリンタで印刷可能であり、繊維の脱落が起きないスパンボンド法や延展法による長繊維からなるものが望ましい。不織布の材質は、ポリエステル、ポリプロピレン、その他の材料から構成され、さらに補液剤を塗布した素材で、厚みは、５０ｇ／ｍ２以上１２０ｇ／ｍ２以下である。
【００１８】
ポケット本体１３は、シート１０の一端部を直線状の折曲線Ｌに沿って折り曲げて形成されるものであり、折曲線Ｌに直交し互いに反対側に位置する直線状の端縁が超音波シールされてシール部Ｓとされている。ポケット本体１３の開口１３Ａは、図示しない本類の表表紙と裏表紙のうち一方を差し込むための口となっている。
帯状部材１４は、折曲線Ｌと平行に配置され、その両端部がカバー本体１１にそれぞれ超音波シールされてシール部Ｓとされている。帯状部材１４とカバー本体１１の両端部との間には隙間が形成可能となっており、この隙間は本類の表表紙と裏表紙のうち他方が差し込まれるようになっている。
折返部１５は、シート１０の他端側に位置し折曲線Ｌと平行な折返線Ｎで折り返して形成されるものであり、その折返線Ｎから他端縁にかけて先端の幅が短くなるように傾斜部Ｍが形成されている。
折返部１５は、折り曲げられた状態では、その先端が帯状部材１４とカバー本体１１との間に差し込まれるようになっている。
【００１９】
［ブックカバーの製造装置］
次に、ブックカバー１の製造装置を図２及び図３に基づいて説明する。
図２に示される通り、製造装置の主要部１００は、シート１０が送り出される第一ロール１１１と、帯状部材１４が送り出される第二ロール１１２と、第一ロール１１１から送り出されるシート１０と第二ロール１１２から送り出される帯状部材１４を重ね合わせる第三ロール１１３と、シート１０の一端縁を折曲線Ｌに沿って折り曲げる折曲機構１１４と、シート１０を送り出される方向とは直交する方向で超音波シールするシール機構１１５と、シール機構１１５でシールされたシート１０を一葉毎に切断する切断部１１６と、切断された一葉の印刷前のブックカバー１を収納する収納ケース１１７と、を備える。
【００２０】
折曲機構１１４は、シート１０の一端縁を内側に向けて折曲線Ｌに沿って折り曲げる図示しないガイド片と、折り曲げられた一端縁部を押圧する図示しない押圧部とを備えている。なお、シート１０の一端縁を折曲線Ｌに沿って折り曲げる前が図４（Ａ）に示され、折り曲げた後が図４（Ｂ）に示されている。
シール機構１１５は、超音波を発生させてシート１０の一端部で折曲線Ｌに沿って折り曲げられた部分のうち折曲線Ｌと直行する端縁部と、シート１０と帯状部材１４の両端部とを超音波溶断カットするか（図４（Ｃ）参照）、あるいは、シート１０の折り曲げられた端縁部と帯状部材１４の両端部とを図示しない彫刻ロールにより彫刻シールするとともにカットする（図４（Ｄ）参照）。
切断部１１６は、シート１０の他端側に傾斜部Ｍを形成するためのカッタ部１６１Ａ及び受台１６１Ｂを有する。
収納ケース１１７は、印刷前の一葉のブックカバー１を複数収納するものである。本実施形態では、収納ケース１１７に代えて図示しない受台を用いてもよい。
【００２１】
図３には、ブックカバー１を印刷するインクジェットプリンタ２が示されている。
図３において、インクジェットプリンタ２は、ケース３と、ケース３に設けられ折返部１５が形成される前のブックカバー１を送る送りローラ４と、送りローラ４の軸方向に進退自在に設けられた印刷部５と、ブックカバー１を送りローラ４に送るフィーダ６とを備えている。
【００２２】
［ブックカバーの製造方法］
本実施形態にかかるブックカバーの製造方法を図４に基づいて説明する。
［ポケット形成工程］
まず、図２及び図４に示される通り、カバー本体１１にポケット１２を形成するポケット形成工程を実施する。
ポケット形成工程は、ポケット本体形成工程と帯状部材形成工程とから構成される。
まず、ポケット本体形成工程は、図２及び図４（Ａ）に示される通り、第一ロール１１１から送られたシート１０と、第二ロール１１２から送られた帯状部材１４とを第三ロール１１３で重ね合わせ、その後、図２及び図４（Ｂ）に示される通り、折曲機構１１４により、帯状部材１４が重ねられた状態のシート１０の一端縁を折曲線Ｌに沿って折り曲げる。
そして、図２及び図４（Ｃ）（Ｄ）に示される通り、シート１０の折曲線Ｌに沿って中央部側に折り曲げられた部分のうち折曲線Ｌと直交する端縁部をシート１０に超音波シールしてシール部Ｓを形成するとともに、カットする。なお、図４（Ｃ）は溶断タイプを示しり、図４（Ｄ）は超音波シールとカットタイプを示す。
【００２３】
帯状部材形成工程は、図２及び図４（Ａ）に示される通り、シート１０の送り方向に沿って帯状部材１４を配置し、第三ロール１１３で重ね合わせる。この際、帯状部材１４はシート１０のうち折曲線Ｌと平行に配置される。さらに、図２及び図４（Ｃ）（Ｄ）に示される通り、帯状部材１４の両端部をそれぞれシート１０に超音波シールしてシール部Ｓを形成する。
これにより、ポケット本体１３及び帯状部材１４がカバー本体１１に超音波シールされて折返部１５が形成される前のブックカバー１が形成されることになる。そして、切断部１１６により、シート１０のポケット本体１３とは反対側に位置する端部に傾斜部Ｍが形成される。
ポケット形成工程と帯状部材形成工程とは同時に実施される。
この状態のブックカバー１は、複数枚が収納ケース１１７に収納される。収納ケース１１７では、ブックカバー１が定数量梱包されトラック等の運搬車両により書店等の顧客に送られる。
【００２４】
［顧客における作業］
［仮止工程］
次に、図２に示される通り、顧客がポケット本体１３と帯状部材１４とをカバー本体１１に仮止めする仮止工程を実施する。なお、本実施形態では、仮止工程は、顧客が行うものではなく、ブックカバー１を製造する業者が行ってもよい。
ポケット本体仮止工程は、シート１０の折り曲げられた部分の端縁を仮止めするものであり、帯状部材仮止工程は、帯状部材１４の端縁をシート１０に仮止めするものである。
仮止めは、剥離可能な粘着テープＴで行われる。この粘着テープＴは市販のセロファンテープを利用できる。
粘着テープＴでポケット本体１３をカバー本体１１に貼付する位置は、カバー本体１１の幅方向の中央部である。つまり、開口１３Ａの中央部分の一部を塞ぐようにポケット本体１３をカバー本体１１に仮止めする。
粘着テープＴで帯状部材１４をカバー本体１１に貼付する位置は、カバー本体１１の幅方向中央部であって、ポケット本体１３とは反対側に位置する端縁である。
【００２５】
［印刷工程］
仮止工程の後に印刷工程を、インクジェットプリンタ２を用いて実施する。
つまり、図３に示される通り、ポケット本体１３及び帯状部材１４がシールされたカバー本体１１を一葉ずつ送りローラ４で送りながら印刷する。
そのため、ブックカバー１をフィーダ６にセットする。この際、シート１０のうちポケット本体１３が形成された端縁とは反対側の端縁、つまり、折返部１５が形成される前のシート１０であって傾斜部Ｍが形成された部位が先頭となるようにフィーダ６にセットする。
ブックカバー１がセットされたら、印刷を開始する。すると、傾斜部Ｍが先頭となってブックカバー１が送りローラ４に送られる。ブックカバー１は、送りローラ４で送られながら印刷部５によって印刷可能領域に印刷される。
【００２６】
ここで、送りローラ４にシートが１枚の部分の傾斜部Ｍに続いてシート２枚の部分に相当する帯状部材１４及びカバー本体１１が通過することになるが、これらの部分が粘着テープＴで仮止めされているので、帯状部材１４がカバー本体１１に対してずれることがなく、給紙エラーは生じ難いものとなる。
送りローラ４に帯状部材１４の部分が通過すると、送りローラ４には、シート１０が１枚の部分のカバー本体１１の部分が通過することになり、続いて、シート１０が２枚の部分のポケット本体１３及びカバー本体１１の部分が通過することになるが、これらの部分が粘着テープＴで仮止めされているので、重なった部分がずれることがなく、給紙エラーが生じ難いものとなる。
このように、シートが１枚の部分と２枚の部分とが連続して送りローラ４を通過しても、送りエラーがなく、印刷が実施される。
印刷が終了したブックカバー１から粘着テープＴを外す。さらに、本類に表表紙、背表紙及び裏表紙をブックカバー１で覆う際には、折返部１５を折返線Ｎで折り返す。
【００２７】
従って、本実施形態では次の効果を奏することができる。
（１）カバー本体１１にポケット１２を形成し、ポケット１２のうち背表紙側の端縁部とカバー本体１１とを仮止めすると同時に、帯状部材１４とカバー本体１１とを仮止めし、その後、ポケット１２が形成されたカバー本体１１を一葉ずつ送りローラ４で送りながらインクジェットプリンタ２で印刷するから、ブックカバー１のシート１０が２枚に相当する部分が一体となって送りローラ４を通過することになる。そのため、送りローラ４とブックカバー１との摩擦抵抗が少なくなり、給紙エラーが生じ難いものとなり、印刷が確実に行える。
従って、印刷前のブックカバー１をまとめて製造しておき、ブックカバー１の印刷を書店等の顧客にあるインクジェットプリンタ２を用いて実施することで、異なるデザインを必要なときに必要な量だけ印刷することができる。
【００２８】
（２）シート１０の端部をシート中央側に向け折曲線Ｌに沿って折り曲げ、シート１０の折り曲げられた部分のうち折曲線Ｌと交差する方向に沿った端縁をシールし、帯状部材１４をシート１０のうち折曲線Ｌと平行に配置し、帯状部材１４の両端部をそれぞれシート１０にシールし、シート１０の折り曲げられた部分の端縁とシート１０とを仮止めし、帯状部材１４のうち長手方向に沿った端縁とシート１０とを仮止めし、この仮止めした状態で、インクジェットプリンタ２で印刷をした。そのため、カバー本体１１にポケット本体１３及び帯状部材１４が形成されたブックカバー１に異なるデザインを必要なときに必要量だけ簡易に印刷することができる。
【００２９】
（３）シート１０の折り曲げられた部分の仮止めや、帯状部材１４とシート１０との仮止めのために、粘着テープＴを用いるので、仮止めの作業が容易にできる。その上、印刷後のブックカバー１を実際に使用する際には、粘着テープＴをブックカバー１から剥がすだけでよい。
（４）カバー本体１１の幅方向の中央部にポケット本体１３と帯状部材１４とをそれぞれ仮止めするから、互いに離反しやすい部分で仮止めをすることで、給紙エラーが生じにくくなる。
【００３０】
（５）ブックカバー１を印刷するにあたり、シート１０のうちポケット本体１３が形成された端縁とは反対側の端縁、つまり、折返部１５が形成される側の端縁が先頭となるように送りローラ４に送る。そのため、まず、送りローラ４にシート１０が１枚の部分が通過し、その後、帯状部材１４のシート２枚に相当する部分が通過するので、はじめにシートが２枚の部分のポケット本体１３が送りローラ４で送られる場合に比べて、給紙エラーが起こり難いものとなる。
【００３１】
（６）シート１０が不織布から形成されているから、ブックカバー１の製造コストを低く抑えられるだけでなく、強度や耐久性がある。しかも、不織布から製造されたブックカバー１は、薄くすることが可能であるため、インクジェットプリンタを用いた印刷に好適である。
【００３２】
［変形例］
なお、本発明は前述の実施形態に限定されるものではなく、本発明の目的を達成できる範囲での変形、改良等は本発明に含まれるものである。
例えば、前記実施形態では、カバー本体１１の幅方向の中央部にポケット本体１３と帯状部材１４とをそれぞれ仮止めしたが、本発明では、カバー本体１１の幅方向の両側で仮止めしてもよく、当該幅方向の全ての領域で仮止めしてもよい。
また、仮止めする手段としてセロファンテープからなる粘着テープＴを用いたが、本発明では、セロファンテープに代えて両面テープを用いてもよく、さらには、粘着テープＴに代えて、ポケット１２とカバー本体１１とを糸で縫い合わせたり、糊付けする、等の他の手段でもよい。
【００３３】
前記実施形態では、ロール状に巻き取られたシート１０及び帯状部材１４からブックカバー１を製造したが、本発明では、予め製品に合わせて切断されたカバー本体１１と帯状部材１４とからブックカバー１を製造してもよい。ただし、前記実施形態のようにシート１０と帯状部材１４とを連続して送りながらポケットを形成する作業を行うことにより、ブックカバー１の製造を効率的に行うことができる。
また、前記実施形態では、ポケット形成工程の後に仮止工程を実施したが、本発明では、ポケット形成工程と同時に仮止工程を実施してもよい。例えば、帯状部材１４のシート１０と対向する面に剥離可能な粘着層を設けておき、この帯状部材１４とシート１０とを重ね合わせてシールすれば、ポケット形成工程と仮止工程とを同時に実施できる。
【００３４】
さらに、帯状部材１４を必ずしも設けることを要せず、この場合、ポケット本体１３をカバー本体１１の両側に設けるものであってもよい。
カバー本体１１及び帯状部材１４を、不織布と防水用合成樹脂層とを積層したシートを用いてもよい。不織布シートに代えて合成樹脂製シートを用いてもよい。また、カバー本体１１と帯状部材１４とで、異なる材質のシートを使用してもよい。
また、シール部Ｓを形成するために超音波シールを用いたが、本発明は、これに限定されるものではなく、他の手段、例えば、ヒートシールや糊付けでもよい。
本発明では、インクジェットプリンタに代えて、レーザプリンタで印刷工程を実施するものでもよい。ただし、レーザプリンタの場合は、補液剤が不要となり、表面フラットな不織布がよい。
【符号の説明】
【００３５】
１…ブックカバー、１０…シート、１１…カバー本体、１２…ポケット、１３…ポケット本体、１４…帯状部材、１５…折返部、２…インクジェットプリンタ、４…送りローラ、５…印刷部、Ｌ…折曲線、Ｎ…折返線、Ｓ…シール部、Ｔ…粘着テープ
【図１】
2018111225.tif 000003
【図２】
2018111225.tif 000004
【図３】
2018111225.tif 000005
【図４】
2018111225.tif 000006